(57)【特許請求の範囲】
【請求項１】
ホタル幼虫の餌となる貝類が生育する貝類生育領域、
側壁で周囲が取り囲まれることで前記貝類生育領域から略隔離され、内部に淡水が貯留されたホタル幼虫育成領域、及び、
前記ホタル幼虫育成領域の貯留水中に淡水を供給する淡水供給手段、を備え、
かつ、前記ホタル幼虫育成領域の貯留水中に供給した淡水が、前記ホタル幼虫育成領域から前記側壁を越流し前記側壁の外壁面を伝ってから前記貝類生育領域へ流れ込む場合と、前記外壁面を伝わない場合とを調節できるホタル幼虫育成システム。
【請求項２】
前記淡水が前記外壁面を伝わない場合には、前記貝類が、前記側壁によって前記ホタル幼虫育成領域と隔てられ、
前記淡水が前記外壁面を伝う場合には、前記貝類が、該淡水の流れに逆行して該外壁面を上向することで、前記ホタル幼虫育成領域に入り込むことが可能となる請求項1記載のホタル幼虫育成システム。
【請求項３】
前記側壁の上縁の一部に切欠き部を形成し、該部位より前記淡水が越流するようにした請求項1又は請求項2記載のホタル幼虫育成システム。
【請求項４】
前記側壁の上縁側の、前記越流高さより下方の位置に、前記ホタル幼虫育成領域に貯留する淡水を越流させずに排水させるための排水手段を備え、
該排水手段は排水の有無を調節可能であり、
前記排出手段からの排出が止められた際には、前記淡水が前記側壁を越流して前記外壁面を伝い、
前記排出手段から排出される際には、前記淡水が前記外壁面を伝わないようになる請求項1〜3のいずれか一項記載のホタル幼虫育成システム。
【請求項５】
屋外の、少なくともホタル幼虫の餌となる貝類が生育可能な淡水域のある場所で適用される請求項1〜4のいずれか一項記載のホタル幼虫育成システム。
【請求項６】
ホタル幼虫の餌となる貝類が生育する貝類生育領域、及び、側壁で周囲が取り囲まれることで前記貝類生育領域から略隔離され、内部に淡水が貯留されたホタル幼虫育成領域、をそれぞれ形成するとともに、
前記ホタル幼虫育成領域の貯留水中に供給した淡水が、前記ホタル幼虫育成領域から前記側壁を越流し前記側壁の外壁面を伝ってから前記貝類生育領域へ流れ込む場合と、前記外壁面を伝わない場合とを調節するホタル幼虫育成方法。
【発明の詳細な説明】
【技術分野】
【０００１】
本発明は、ホタル幼虫の餌となる貝類が生育する貝類生育領域、側壁で周囲が取り囲まれることで貝類生育領域から略隔離されたホタル幼虫育成領域、及び、淡水供給手段を備え、淡水が側壁を越流している際に、それらの貝類が、側壁の外壁面を伝う淡水の流れに逆行して外壁面を上向することで、ホタル育成領域に入り込むことが可能となるホタル幼虫育成システム、並びに同様のホタル幼虫育成方法などに関連する。
【背景技術】
【０００２】
ホタルは、コウチュウ目ホタル科に分類される昆虫で、発光することで知られ、日本国内には約40種類が生息する。その中で、ゲンジボタル（学名「Luciola  cruciata」、以下同じ）、ヘイケボタル（学名「Luciola  lateralis」、以下同じ）などが広く知られている。
【０００３】
ゲンジボタルは、体長約15mm前後で、日本産の中では大型の種である。幼虫は水生で、流れの緩い場所に棲み、巻貝の一種であるカワニナを捕食しながら、多くの場合約一年かけて成長する。そして、4月頃になると、降雨時の夜に川岸などに上陸し、土の中に潜って蛹になる。蛹の期間は約50日で、5〜6月頃に成虫になる。成虫は、昼間は草陰で休み、日没後に発光・飛翔する。成虫は発光によって他の個体と交信し、雌雄が出会って交尾する。交尾した雌は川岸のコケなどに約500個の卵を産み付ける。卵は30日程度で孵化し、孵化した幼虫は、水中に潜り、生活を始める。
【０００４】
ヘイケボタルは、ゲンジボタルよりも小型の種で、水田・湿原の周辺などに生息する。幼虫は、モノアラガイ、タニシ、カワニナなどを捕食する。生活環は、ゲンジボタルと類似する。
【０００５】
ゲンジボタルやヘイケボタルは、成虫が夜間に川辺などで発光・飛翔する様子が初夏の風物詩として人々に親しまれており、観察・観賞用として人気が高い。そのため、卵・幼虫・蛹・成虫で生息環境を変えるなど、煩雑であるにもかかわらず、種々の飼育方法が知られている。
【０００６】
それらのホタルは、里山など、身近な地域の水辺に多く生息する昆虫であったにもかかわらず、近年、河川改修、耕地整備、農薬の普及、生活雑排水などの影響により、それら地域では、自然環境下における生息数が大幅に減少している。
【０００７】
一方、特にゲンジホタルは、比較的清冽な流水環境を必要とすることもあり、自然環境の保護や里山の保全などに対する関心の高まりに伴って、里山本来の水辺の景観や環境などが維持されていることを示す指標として扱われている。
【０００８】
そこで、身近な地域の環境保全にもつながるとして、ゲンジボタルなどの保護やホタル生息に必要な環境の保全の試みのほか、従前はホタルの生息していた場所におけるホタル生育に必要な環境の再生、さらにはビオトープなど、ホタル生育に必要な環境の人工的な創出の試みなども数多く行われている。そして、ゲンジボタルを一定規模以上で人工飼育し、その幼虫又は成虫を、それらの屋外のホタル生育環境に放流するなどの試みも数多く行われている。
【０００９】
ホタル幼虫の餌となる貝類の一つであるカワニナは、カワニナ科に分類される巻貝の一種で、川・用水路・湖沼などの淡水域の水底に生息する。ゲンジボタルやヘイケボタルなどの幼虫の餌として知られるほか、コイ、モクズガニ、サワガニなども、カワニナの天敵である。落ち葉、付着珪藻などの有機物を餌とし、餌を求めて、水流に逆らって遡上行動を行うとともに、ある程度以上の流速になると下流へ流されることが知られている。
【００１０】
なお、ホタルの人工飼育手段として、例えば、特許文献1には、両側縁に植石を配置し、底面をコンクリートによって形成した単位水路を設け、置き石を配置し、その接続部に越流堰を設けた水性ホタル育成用の水路が、特許文献2には、容器内に、水域と陸域を設け、水循環ポンプにより陸域を通して水を水域に循環させるとともに水の浄化手段を設けたホタルの養殖装置が、特許文献3には、流水供給装置と、組立式流水路と、湧出管とからなる水生昆虫の人工飼育システムが、特許文献4には、階段状に段差を設けて配置された水槽と、上位置の水槽からその下に位置する水槽へ水を流す通水手段と、最上段の水槽へ水を供給するポンプとからなり、各水槽に小石などを敷いて、蛍の幼虫とカワニナを入れるホタル養殖装置が、特許文献5には、自然の水流中に網容器を配置し、この網容器の内部に貝類を入れ、繁殖させるとともに、網容器の内部にホタルの幼虫を入れ、網容器の内部で終齢幼虫に到るまで育成するようにした蛍の育成方法が、特許文献6には、底部に砂を敷いた疑似小川、その片側に設けたホタルの幼虫の上陸用疑似土手、及び、擬似小川の上流側を高く下流側を低くなるように形成したハウジングを有するホタルの養殖装置が、特許文献7には、カップ状の容器の底部に複数粒の砕石を敷設した状態で、ホタルの幼虫とカワニナとを収容するホタルの飼育方法が、特許文献8には、垂直方向に伸びるラック部に飼育トレイ部と水槽部を備えたホタルの幼虫とカワニナの飼育装置が、それぞれ記載されている。
【特許文献１】特開平8-322429号公報
【特許文献２】特開2000-157101号公報
【特許文献３】特開2001-258424号公報
【特許文献４】特開2002-281865号公報
【特許文献５】特開2003-23920号公報
【特許文献６】特開2004-222704号公報
【特許文献７】特開2005-333831号公報
【特許文献８】特開2007-82517号公報
【発明の開示】
【発明が解決しようとする課題】
【００１１】
ゲンジボタルなどの幼虫は、飢餓耐性が強いにもかかわらず、摂餌活動が旺盛であるため、ホタル幼虫の人工飼育の際には、ホタル幼虫の餌となる貝類の供給量の調節が必要となる。そのため、餌となる貝類の管理・維持、ホタル幼虫への給餌作業などに過大に注意を払う必要があり、煩雑である。そこで、本発明は、それらの作業負担を軽減しつつ、ホタル幼虫の人工飼育を維持することが可能な手段を提供することなどを目的とする。
【課題を解決するための手段】
【００１２】
本発明では、ホタル幼虫の餌となる貝類が生育する貝類生育領域、側壁で周囲が取り囲まれることで前記貝類生育領域から略隔離され、内部に淡水が貯留されたホタル幼虫育成領域、及び、前記ホタル幼虫育成領域の貯留水中に淡水を供給する淡水供給手段、を備え、かつ、前記ホタル幼虫育成領域から前記側壁を越流して溢れ出る淡水が、前記側壁の外壁面を伝ってから前記貝類生育領域へ流れ込む場合と、前記外壁面を伝わない場合とを調節できるホタル幼虫育成システムなどを提供する。
【００１３】
このシステムでは、前記淡水が前記外壁面を伝わない場合には、前記貝類が、前記側壁によって前記ホタル幼虫育成領域と隔てられ、前記淡水が前記外壁面を伝う場合には、前記貝類が、前記側壁の外壁面を伝う淡水の流れに逆行して該外壁面を上向することで、前記ホタル育成領域に入り込むことが可能となる。
【００１４】
即ち、ホタル幼虫育成領域内に貯留する淡水が、同領域側壁の外壁面を伝う場合と伝わない場合とを調節することで、ホタル幼虫の餌となる貝類がホタル育成領域に入り込める場合と入り込めない場合を調節することができる。
【００１５】
そして、淡水が同領域側壁の外壁面を伝う場合と伝わない場合とを調節することによって、ホタル幼虫の餌となる貝類の供給量を調節することができるため、餌となる貝類の入手・維持・管理、ホタル幼虫への給餌作業などの作業負担を軽減しつつ、ホタル幼虫の人工飼育を維持することが可能となる。
【００１６】
本発明に係るホタル幼虫育成システムは、例えば、屋外の、少なくともホタル幼虫の餌となる貝類が生育可能な場所で適用されるようにしてもよい。
【００１７】
例えば、個体数が減少しているが現在もホタルの生息している水辺、従前はホタルが生息していて現在ホタル生育に必要な環境の再生を行っている水辺・人工池・人工水路、ビオトープなどホタル生育のために必要な環境を人工的に創出した水辺様空間・人工池・人工水路など、ホタル幼虫の生育のための環境を整えている屋外の場所において、その淡水域の内部に又は隣接して、側壁で囲繞されたホタル幼虫育成領域を形成し、その内側にホタル幼虫を放流する。
【００１８】
そのホタル幼虫育成領域の貯留水中に淡水を供給し、ホタル幼虫育成領域の側壁から越流させ、その越流水が、その側壁の外壁面を伝ってからホタル幼虫育成領域の外（即ち、貝類生育領域）に流れ込むようにする。そして、ホタル幼虫の餌となる貝類が水流に逆らって遡上行動を行う性質を利用し、淡水が外壁面を伝う場合には、それらの貝類が、その側壁の外壁面を伝う淡水の流れに逆行して外壁面を上向し、ホタル幼虫育成領域に入り込むようにする。一方、淡水が外壁面を伝わない場合には、ホタル幼虫育成領域から貝類生育領域への、上向可能な淡水の流れが遮断されるため、貝類はホタル幼虫育成領域に侵入できない。従って、淡水がホタル幼虫育成領域の側壁の外壁面を伝う場合と伝わない場合とを調節することで、屋外でも、ホタル幼虫の餌となる貝類がホタル育成領域に入り込める場合と入り込めない場合時間を調節することができる。
【００１９】
近年、多くの場所でホタル生育のための環境を整え、そこにホタル幼虫を放流しているが、実際にその場所でのホタルの生育・定着に成功した事例は極めて少ない。発明者は、その理由を、(1)ホタル幼虫を放流すると、分散して石の下や砂礫の空隙などで生育するため、ホタル幼虫が、どこにどれくらい定着したかが把握できないこと、及び、(2)上記の通り、ホタル幼虫は摂餌活動が旺盛なため、ホタル幼虫の餌となる貝類が食べ尽くされてしまうこと、と推定した。
【００２０】
それに対し、このホタル幼虫育成システムの場合、ホタル幼虫は、ホタル幼虫育成領域内に限局して存在し、その中で定着している。ホタル幼虫は、原則的に、蛹になる直前までホタル幼虫育成領域に留まり、自ら脱出することはないため、本システムを屋外で適用した場合でも、ホタル幼虫の個体数・状況などを容易にかつ比較的正確に把握できる。
【００２１】
また、本システムの場合、ホタル幼虫育成領域の側壁を乗り越えた貝類のみがホタル幼虫の餌となる一方、ホタル幼虫育成領域の外側の貝類生育領域に留まる貝類がホタル幼虫に食べられることはないため、ホタル幼虫の餌となる貝類が食べ尽くされる懸念はなく、それらの貝類を持続的に維持することができる。そして、淡水がホタル幼虫育成領域の側壁の外壁面を伝う場合と伝わない場合とを調節することにより、ホタル幼虫の餌となる貝類のホタル幼虫への供給も適量に調整することができる。
【００２２】
従って、本システムは屋外でも適用可能であり、本システムによって、屋外においても、ホタル幼虫の餌となる貝類の管理・維持、ホタル幼虫への給餌作業などの作業負担を軽減しつつ、ホタル幼虫の人工飼育を維持することできる。
【発明の効果】
【００２３】
本発明により、ホタル幼虫の餌となる貝類の供給量の調節を比較的簡易かつ低労力で行うことができ、それによって、ホタル幼虫への給餌作業などの作業負担を軽減しつつ、ホタル幼虫の人工飼育を維持することが可能となる。
【発明を実施するための最良の形態】
【００２４】
＜本発明に係るホタル幼虫育成システムについて＞
本発明は、ホタル幼虫の餌となる貝類が生育する貝類生育領域、側壁で周囲が取り囲まれることで前記貝類生育領域から略隔離され、内部に淡水が貯留されたホタル幼虫育成領域、及び、前記ホタル幼虫育成領域の貯留水中に淡水を供給する淡水供給手段、を備え、かつ、前記ホタル幼虫育成領域から前記側壁を越流して溢れ出る淡水が、前記側壁の外壁面を伝ってから前記貝類生育領域へ流れ込む場合と、前記外壁面を伝わない場合とを調節できるホタル幼虫育成システムをすべて包含する。以下、図1、及び、図2を用いて、その例を説明する。なお、本発明は、この実施形態のみに狭く限定されない。
【００２５】
図1は、本発明に係るホタル幼虫育成システムの例を示す外観斜視模式図、図2は、同水流方向断面模式図である。なお、図1及び図2は、それぞれ別個の例示であり、両図の各構成が全て相関しているわけではない。
【００２６】
図1及び図2のホタル幼虫育成システムAは、ホタル幼虫Nの餌となる貝類Sが生育する貝類生育領域1と、側壁21で周囲が取り囲まれることで貝類生育領域1から略隔離され、内部22に淡水W1が貯留されたホタル幼虫育成領域2と、ホタル幼虫育成領域2の貯留水W1中に淡水を供給する淡水供給手段3と、側壁21の上縁23の一部に形成された切欠き部24と、側壁21の上縁23側の、前記越流高さ25よりやや下方の位置に、ホタル幼虫育成領域2に貯留する淡水W1を越流させずに排水させるための排水手段4と、を備えている。淡水の流れは、上流側X1から下流側X2へ向けて形成されている。淡水供給手段3によってホタル幼虫育成領域2の貯留水W1中に供給された淡水W0は、ホタル幼虫育成領域2の貯留水W1が側壁21（の切欠き部24）から越流し（図2中、符号W2参照）、側壁21の外壁面を伝ってから（符号W3参照）、貝類生育領域1へ流れ込む（符号W4参照）。一方、ホタル幼虫育成領域2の貯留水W1が排水手段4から排出される場合には、側壁21の外壁面を伝わらずに貝類生育領域1へ流れ込む（符号W5参照）。貝類Sは、淡水Wが側壁21を越流している際、流れに逆行して、ホタル幼虫育成領域2の方向Y1へ移動し（符号S1参照）、さらに側壁21の外壁面を上方向Y2へ移動し（符号S2参照）、ホタル幼虫育成領域2に入り込む。
【００２７】
ホタル幼虫育成システムAは、屋内・屋外のいずれにも適用可能である。例えば、屋内において、ホタル幼虫Nを一定規模以上で人工飼育する場合にも適用できる。また、屋外の、少なくともホタル幼虫Nの餌となる貝類Sが生育可能な淡水域のある場所、例えば、個体数が減少しているが現在もホタルの生息している水辺、従前はホタルが生息していて現在ホタル生育に必要な環境の再生を行っている水辺・人工池・人工水路、ビオトープなどホタル生育のために必要な環境を人工的に創出した水辺様空間・人工池・人工水路など、ホタル幼虫の生育のための環境を整えている場所にも適用できる。
【００２８】
ホタルNの種類について、幼虫時に、遡上行動を行う貝類Sを捕食する種類のホタルであれば、原則的に、本システムAを適用可能である。例えば、幼虫時にカワニナを捕食するゲンジボタル、幼虫時にモノアラガイ、タニシ、カワニナなどを捕食するヘイケボタルなども、本システムAを適用可能である。
【００２９】
貝類生育領域1は、ホタル幼虫Nの餌となる貝類Sが生育する領域である。屋内のホタル幼虫人工飼育設備として適用する場合は、水槽など、それらの貝類の生育できる設備を、貝類生育領域1として採用できる。例えば、水槽内に一定の高さまで淡水を入れ、その中に貝類を放し、給餌しながら貝類を飼育・維持する。一方、本システムAを屋外で適用する場合は、ホタル幼虫Nの餌となる貝類Sが生育可能な淡水域、例えば、個体数が減少しているが現在もホタルの生息している場所の水辺、従前はホタルが生息していて現在ホタル生育に必要な環境の再生を行っている水辺・人工池・人工水路、ビオトープなどホタル生育のために必要な環境を人工的に創出した水辺様空間・人工池・人工水路などが貝類生育領域1に該当する。
【００３０】
ホタル幼虫Nの餌となる貝類Sの種類には、育成するホタル幼虫の餌となるものを選択して適用する。例えば、ゲンジボタルの幼虫を育成する場合にはカワニナが、ヘイケボタルの幼虫を育成する場合にはモノアラガイ、タニシ、カワニナが、貝類生育領域1で生育しているようにする。
【００３１】
ホタル幼虫育成領域2は、ホタル幼虫Nを育成するための領域であり、内部22に淡水W1が貯留され、ホタル幼虫Nが放流されている。ホタル幼虫育成領域2は、貝類生育領域1の内部に、若しくは該領域1に隣接して形成され、側壁21で周囲が取り囲まれることで貝類生育領域1から略隔離されている。即ち、側壁21によって貝類生育領域1とホタル幼虫育成領域2は隔てられ、ホタル幼虫Nは、原則的に、蛹になる直前までホタル幼虫育成領域2に留まり、そこから自ら脱出はせずに、そこで生育する。
【００３２】
ホタル幼虫育成領域2は、少なくとも、側壁21で周囲が取り囲まれることで貝類生育領域1から略隔離されることによって形成されていればよく、その形態などによって狭く限定されない。
【００３３】
例えば、上面が開放された有底の略筒状部材（例えば、略盥状又は略桶状の箱体・容器・水槽など）を、貝類生育領域1の内部に、若しくは該領域1に隣接して設置して、その内部の中空部分をホタル幼虫育成領域2としてもよい。その際、その略筒状部材は、その内部の中空部分に淡水を貯留させることができ、かつその貯留水W1中に淡水Wを供給して、その略筒状部材の上縁（の一部）から越流させることができるように形成する。
【００３４】
また、例えば、上面及び底面が開放された略筒状部材（例えば、管状部材など）を、貝類生育領域1の内部に立設して、その内部の中空部分をホタル幼虫育成領域2としてもよい。その際、その略筒状部材は、その内部の中空部分に淡水を貯留させることができ、かつその貯留水中に淡水を供給して、その略筒状部材の上縁（の一部）から越流させることができるように形成する。そのために、淡水供給手段3によって淡水を供給している際には、供給する淡水の量の方が流出する淡水の量よりも多く、少なくとも、略筒状部材から淡水Wが越流できる状態を維持できる程度にまで、設置面と略筒状部材の下縁との間の隙間が塞がれている必要がある。また、設置面と略筒状部材の下縁との間の隙間からホタル幼虫Nが脱出しない程度にまで、その隙間は塞がれている必要がある。
【００３５】
略筒状部材の形状は、略円柱状、略直方体状など、公知のものを広く採用でき、特に限定されない。略筒状部材など、側壁21を形成する部材は、ホタル幼虫育成領域2を形成した際に、内部に淡水を貯留可能な程度の遮水性を有し、かつホタル幼虫Nの餌となる貝類Sがその表面を上向できる程度に、表面が平滑に形成されている素材で形成されていればよく、公知の材料を広く採用でき、狭く限定されない。例えば、硬質ポリ塩化ビニルで形成された箱体・管状部材、木製の箱体・容器、ガラス製又はプラスチック製の容器・水槽などを採用してもよい。
【００３６】
ホタル幼虫育成領域2の内部22は、ホタル幼虫を育成する領域として活用される。内部22には、淡水W1が貯留され、その底面付近でホタル幼虫Nが育成する。ホタル幼虫Nの育成のために、例えば、ホタル幼虫育成領域2の内部22の底面に、置石、自然礫などを適宜配置したり、サンゴ砂・活性炭などの粒状物を適宜敷設したりして、ホタル幼虫Nの隠れ場所・住処となるような隙間や凹凸などが形成されるようにしておいてもよい。その他、場合によっては、ホタル幼虫育成領域2の内部22に、ホタル幼虫Nの餌、ホタル幼虫Nの餌となる貝類の餌などを適宜供給してもよい。
【００３７】
原則的には、ホタル幼虫育成領域2から側壁21を越流して溢れ出る淡水W2は、ホタル幼虫育成領域2の上縁23のいずれかの位置から越流し、側壁21の外壁面を伝ってから貝類生育領域1へ流れ込む。そして、淡水Wが側壁21を越流している際、ホタル幼虫Nの餌となる貝類Sは、側壁21の外壁面を伝う淡水W3の流れに逆行してその外壁面を上向することで、ホタル幼虫育成領域2に入り込む。
【００３８】
また、例えば、前記側壁21の上縁23の一部に切欠き部24を形成し、該部位24より前記淡水Wが越流するようにした構成にしてもよい。側壁21の上縁23の一部に切欠き部24を形成することにより、越流部位を規定できるため、側壁21の外側面における、ホタル幼虫Nの餌となる貝類Sの上向行動の有無・状況を把握しやすくなり、また、システムの維持や不具合の発見なども容易になる。なお、側壁21の上縁23の一部に切欠き部24を形成することにより、淡水Wの越流高さ25は、側壁21の上縁23ではなく、切欠き部24の形成によって凹んだ部分の高さとなる。
【００３９】
淡水供給手段3は、ホタル幼虫育成領域2の貯留水W1中に淡水を供給するための部材である。淡水供給手段3によってホタル幼虫育成領域2の貯留水W1中に淡水を供給することにより（符号W0参照）、新鮮な淡水Wをホタル幼虫育成領域2に供給するとともに、同領域2内の貯留水W1に緩やかな水の流れを形成させることができるため、ホタル幼虫Nの育成環境を良好に維持することができる。また、ホタル幼虫育成領域2の貯留水W1中に淡水を供給することにより（符号W0参照）、貯留水W1を増量させ、ホタル幼虫育成領域2から側壁21を越流させて溢れ出させることができる。
【００４０】
淡水供給手段3には、ホタル幼虫育成領域2内の水位を維持・上昇させる程度の量の淡水を供給できるものであればよく、ポンプ、自然の水流や高低差を利用して淡水を供給する装置・流路、エアリフトポンプなど、公知のものを広く採用でき、特に限定されない。また、供給する淡水Wも、ホタル幼虫Nの育成に好適な淡水であればよい。例えば、別の場所から供給される淡水、本システムAの適用場所又はその近隣に存在する淡水、貝類生育領域1に貯留する淡水なども、供給する淡水Wとして適用可能である。
【００４１】
本システムAでは、淡水Wがホタル幼虫育成領域2の側壁21の外壁面を伝う場合と伝わない場合とを調節できるようにする。これにより、淡水Wが同領域2の側壁21の外壁面を伝わない場合には、ホタル幼虫Nの餌となる貝類Sが、側壁21によってホタル幼虫育成領域2と隔てられ、淡水Wが同領域2の側壁21の外壁面を伝う場合には、それらの貝類Sが、ホタル幼虫育成領域2に入り込むことが可能となる。
【００４２】
淡水Wがホタル幼虫育成領域2の側壁21の外壁面を伝う場合と伝わない場合とを調節する手段は、公知のものを広く採用でき、特に限定されない。例えば、淡水供給手段3において、一定時間ごと又は任意の時期に、淡水Wの供給の有無又は供給量を調節することによって、淡水Wが、側壁21を越流して同領域2の側壁21の外壁面を伝う場合と、側壁21を越流せずに貯留し、同領域2の側壁21の外壁面を伝わない場合とを調節することができる。
【００４３】
また、例えば、ホタル幼虫育成領域2の側壁21の外壁面より略水平方向に立設させた邪魔板を着脱自在に形成し、同領域2の側壁21の外壁面にその邪魔板を取付けた場合には、淡水Wがその邪魔板の上面を流れてから外壁面を伝わずに貝類生育領域1へ流れ込み、その邪魔板を取り外した場合には、淡水Wが同領域2の側壁21の外壁面を伝って貝類生育領域1へ流れ込むようにしてもよい。これにより、その邪魔板を取付けた場合には、外壁面を伝う淡水Wが遮断され、貝類Sの遡上が阻止される。その際、側壁21の外壁面での淡水Wの遮断が不完全であった場合でも、邪魔板がネズミ返しのように機能するため、たとえ貝類Sが側壁21の外壁面を上向したとしても、ホタル幼虫育成領域2への侵入は完全に阻止される。一方、その邪魔板を取り外した場合には、淡水Wが、通常通り、側壁21を越流した後、同領域2の側壁21の外壁面を伝うため、貝類Sが側壁21の外壁面を上向して、ホタル幼虫育成領域2に入り込むことが可能となる。
【００４４】
その他、例えば、図1のように、前記側壁21の上縁23側の、前記越流高さ25よりやや下方の位置に、前記ホタル幼虫育成領域2に貯留する淡水W1を越流させずに排水させるための排水手段4を備え、該排水手段4は排水の有無を調節可能であり、前記排出手段4からの排出が止められた際には、前記淡水Wが前記側壁を越流して前記外壁面を伝い、（符号W2参照）、前記排出手段4から排出される際（符号W5参照）には、前記淡水Wが前記外壁面を伝わないようになる構成にしてもよい。
【００４５】
排水手段4から排水しないように調節し、排出手段4からの淡水Wの排出が止められた際には、ホタル幼虫育成領域2の貯留水W1は、通常通り、ホタル幼虫育成領域2の上縁23のいずれかの位置から越流し、側壁21の外壁面を伝ってから貝類生育領域1へ流れ込む。従って、ホタル幼虫Nの餌となる貝類Sは、側壁21の外壁面を伝う淡水W3の流れに逆行してその外壁面を上向することで、ホタル幼虫育成領域2に入り込むことができる。
【００４６】
一方、排水手段4から排水されるように調節し、排出手段4から淡水Wが排出される際（符号W5参照）には、ホタル幼虫育成領域2の貯留水W1の水位は排水手段4の設置高さまでしか上昇せず、越流高さにまでは到達しないため、ホタル幼虫育成領域2の上縁23からの越流は起きなくなる。それとともに、排水手段4の排出端は側壁21の外壁面から離れているため、側壁21の外壁面を伝う水の流れも消失する。そのため、ホタル幼虫Nの餌となる貝類Sは、側壁21の外壁面を上向することができなくなり、ホタル幼虫育成領域2に入り込むこともできなくなる。
【００４７】
従って、側壁21を越流する淡水Wの流れの迂回経路として、排水手段4を設け、その排水手段4からの排水の有無を調節することにより、淡水Wがホタル幼虫育成領域2の側壁21の外壁面を伝う場合と伝わない場合とを調節でき、それによって、ホタル幼虫育成領域2への、ホタル幼虫Nの餌となる貝類Sの供給量を比較的簡易かつ低労力に調節することができる。
【００４８】
排水手段4は、側壁21の上縁23側の、前記越流高さ25よりやや下方の位置に形成され、側壁21を越流する淡水Wの流れとは別個に、ホタル幼虫育成領域2に貯留する淡水W1を排出できるものであればよく、公知のものを広く採用でき、狭く限定されない。例えば、一端がホタル幼虫育成領域2の内部22の所定高さに開口し、他端が側壁21の外壁面から離れて開口する管状部材（例えば、中空の細長い構造のチューブ、管など）を採用してもよい。
【００４９】
また、排水手段4における、排水の有無を調節する構造についても、手動操作バルブ、電磁弁など、公知のものを広く採用することが可能である。例えば、電磁弁を採用し、排水の有無を時間ごとに自動調節できるように設定してもよい。
【００５０】
＜本発明に係るホタル幼虫育成方法について＞
本発明は、ホタル幼虫の餌となる貝類が生育する貝類生育領域、及び、側壁で周囲が取り囲まれることで前記貝類生育領域から略隔離され、内部に淡水が貯留されたホタル幼虫育成領域、をそれぞれ形成するとともに、前記ホタル幼虫育成領域の貯留水中に淡水を供給した淡水が、前記ホタル幼虫育成領域から前記側壁を越流し前記側壁の外壁面を伝ってから前記貝類生育領域へ流れ込む場合と、前記外壁面を伝わない場合とを調節するホタル幼虫育成方法をすべて包含する。
【００５１】
上述の通り、ホタル幼虫の餌となる貝類の生育領域（貝類生育領域）と、その貝類生育領域から略隔離されたホタル幼虫育成領域を形成し、ホタル幼虫育成領域から側壁を越流して溢れ出る淡水を、側壁の外壁面を伝ってから貝類生育領域へ流れ込ませるようにするとともに、淡水がホタル幼虫育成領域の側壁の外壁面を伝う場合と伝わない場合とを調節することにより、ホタル幼虫の餌となる貝類Sのホタル幼虫育成領域への侵入の有無を調節できる。これにより、ホタル幼虫の餌となる貝類の供給量の調節を比較的簡易かつ低労力で行うことができる。
【実施例１】
【００５２】
実施例1では、本発明に係るホタル幼虫育成システムの試作モデルを作製し、ホタル幼虫の餌となる貝類の供給量の調節を調節できるかどうかを検証した。
【００５３】
貝類生育領域として、縦60cm×横30cm×深さ30cmの飼育水槽に、10cm程度の高さまで淡水を入れ、その中にカワニナを約20匹放流した。
【００５４】
その飼育水槽内に、直径20cm×高さ15cmのポリ塩化ビニル管を立設し、その内部の中空領域をホタル幼虫育成領域とした。ポンプで、飼育水槽内の淡水を取り込んで、その淡水をポリ塩化ビニル管の中空領域に供給した結果、循環させながら、淡水をポリ塩化ビニル管の上縁から越流させその外壁面を伝いながら飼育水槽へ流れ込ませることができた。飼育水槽の水位は約5cmで維持された。ポリ塩化ビニル管の中空領域にゲンジボタルの幼虫を2匹放流した。
【００５５】
淡水の循環を維持したところ、ポンプを稼働し、淡水をポリ塩化ビニル管の上縁から越流させた場合、数匹のカワニナが、ポリ塩化ビニル管の外壁面を上向し、その中空領域に侵入した。
【００５６】
一方、ポンプを停止した場合、淡水がポリ塩化ビニル管の上縁から越流しなくなり、ポリ塩化ビニル管の外壁面が乾き、淡水が外壁面を伝わなくなった。そして、カワニナのポリ塩化ビニル管外壁面への上向行動、及び、中空領域への侵入は観察されなくなった。
【図面の簡単な説明】
【００５７】
【図１】本発明に係るホタル幼虫育成システムの例を示す外観斜視模式図。
【図２】本発明に係るホタル幼虫育成システムの例を示す水流方向断面模式図。
【符号の説明】
【００５８】
1            貝類生育領域
2            ホタル幼虫育成領域
21            ホタル幼虫育成領域2の側壁
22            ホタル幼虫育成領域2の内部
23            ホタル幼虫育成領域2の上縁
24            切欠き部
25            淡水Wの越流高さ
3            淡水供給手段
4            排水手段
A            ホタル幼虫育成システム
N            ホタル幼虫
S            ホタル幼虫の餌となる貝類
W（W1〜W5）  淡水
W1            貯留水
W2            越流水
X1            上流側
X2          下流側
【図１】
0006649835.tif 000002
【図２】
0006649835.tif 000003